(57)【要約】【課題】  利用者がデュエット曲を選曲する場合に、簡便かつ確実な方法で、デュエット相手としてふさわしいパートナーを抽出する。【解決手段】  デュエット曲の演奏時における設定キーデータを選曲履歴データ４５ｂとして利用者ＩＤ別に記録する利用者別選曲履歴記録手段３５と、選曲者となる任意の利用者がデュエット曲を選曲した際に、現にカラオケ演奏端末１１にログインしている利用者の選曲履歴データ４５ｂに基づき、利用者別の設定キーデータを取得する利用者別楽曲対応設定キーデータ取得手段４７と、利用者別の設定キーデータに基づき、選曲者の設定キーデータと重複する設定キーデータを有する他の利用者の利用者ＩＤを抽出するデュエット相手抽出手段４８と、抽出した利用者ＩＤに対応した利用者データをデュエット相手データとして出力するデュエット相手データ出力手段４９とを備える。【選択図】  図１
2010078926.tif 000002
【特許請求の範囲】
【請求項１】
カラオケ演奏に際して、そのキーを所定範囲で変更設定する機能を有し、利用者がデュエット曲を選曲する場合に、当該利用者と重複するキーで歌唱可能なデュエット相手を抽出するデュエット相手抽出システムであって、
ログイン利用者管理手段と、利用者別選曲履歴記録手段と、利用者別楽曲対応設定キーデータ取得手段と、デュエット相手抽出手段と、デュエット相手データ出力手段と、を備え、
前記ログイン利用者管理手段は、カラオケ演奏端末にログインしている利用者を、利用者ＩＤに基づき特定して管理し、
前記利用者別選曲履歴記録手段は、任意の利用者がデュエット曲を歌唱した際に、その演奏時における設定キーデータを選曲履歴データとして利用者ＩＤ別に記録し、
前記利用者別楽曲対応設定キーデータ取得手段は、選曲者となる任意の利用者がデュエット曲を選曲した際に、現にカラオケ演奏端末にログインしている利用者の選曲履歴データに基づき、当該デュエット曲に関する利用者別の設定キーデータを取得し、
前記デュエット相手抽出手段は、取得した利用者別の設定キーデータに基づき、当該デュエット曲の選曲者の設定キーデータと重複する設定キーデータを有する他の利用者の利用者ＩＤを抽出し、
前記デュエット相手データ出力手段は、前記デュエット相手抽出手段により抽出した利用者ＩＤに対応した利用者データをデュエット相手データとして出力する、
ことを特徴とするデュエット相手抽出システム。
【請求項２】
前記デュエット相手出力手段は、デュエット相手データとして、選曲者の設定キーデータと重複する設定キーデータを含んで出力する、
ことを特徴とする請求項１に記載のデュエット相手抽出システム。
【発明の詳細な説明】
【技術分野】
【０００１】
本発明は、カラオケ演奏に際して、そのキーを所定範囲で変更設定する機能を有し、利用者がデュエット曲を選曲する場合に、当該利用者と重複するキーで歌唱可能なデュエット相手を抽出するデュエット相手抽出システムに関するものである。
【背景技術】
【０００２】
カラオケ装置で演奏される楽曲は、それぞれオリジナルのキーが設定されているが、カラオケ装置の利用者は個人毎に異なる歌唱音域を持っているため、オリジナルのキーでは歌唱が難しい場合がある。このため、従来のカラオケ装置は、歌唱に際して所定の範囲でキーを変更設定する機能を有している。
【０００３】
ところで、利用者が一人で歌唱を行う場合には、利用者自身の歌唱音域に対応したキーを設定して歌唱すればよいが、デュエット曲のように二人が一緒に歌唱する場合には、両者が同一のキーで歌唱しなければならない。すなわち、デュエット曲を歌唱する際に、利用者の歌唱音域が異なっていると、一方の利用者にとって歌唱が可能なキーであっても、他の歌唱者にとっては歌唱が困難となってしまうことがある。
【０００４】
そこで、パートナーが決まっていないデュエット曲を演奏予約すると、当該演奏予約した利用者のパートナーとしてふさわしい利用者を推薦する技術が開発されている（特許文献１参照）。特許文献１に記載された技術は、選曲処理によりデュエット曲が抽出された際に、該当者情報を抽出し、利用者の歌唱個性情報と他の利用者の歌唱個性情報とを対照する。そして、両者の適合性を評価し、評価結果が推薦基準を超えた他の利用者が存在した場合に、その利用者の個人特定情報を推薦パートナーとして表示手段に表示するようになっている。
【０００５】
【特許文献１】特開２００７−１２１９１６号公報
【発明の開示】
【発明が解決しようとする課題】
【０００６】
上述した特許文献１に記載された技術は、利用者の歌唱個性情報として、声の高さ、声の太さ、声の透明さ、声の張り、発生タイミング、ビブラートの深さ、ビブラートの早さ、シャクリの頻度の多さの８つの属性項目を挙げている。そして、各属性項目について１〜５の５段階評価を行い、デュエット曲の選曲者の歌唱個性情報と、他の利用者の歌唱個性情報とを比較することにより、デュエット相手としてふさわしいパートナーを推薦するという効果を奏することができる。
【０００７】
しかし、この技術では、複数の属性項目について複数段階の評価を行っているため、属性項目に関するデータの収集に手間を要する場合がある。また、複数の属性項目に基づいて評価を行っているため、デュエット相手としてふさわしいパートナーとして選出された利用者が、必ずしも選曲者と同様のキーで歌唱が可能であるとは限らない。さらに、複数の属性項目についての評価基準が絶対的なものではないため、適切な評価を行うことができないおそれもある。
【０００８】
本発明は、上述した事情に鑑み提案されたもので、利用者がデュエット曲を選曲する場合に、簡便かつ確実な方法で、デュエット相手としてふさわしいパートナーを抽出することが可能なデュエット相手抽出システムを提供することを目的とする。
【課題を解決するための手段】
【０００９】
本発明のデュエット相手抽出システムは、上述した目的を達成するため、以下の特徴点を有している。すなわち、本発明のデュエット相手抽出システムは、カラオケ演奏に際して、そのキーを所定範囲で変更設定する機能を有し、利用者がデュエット曲を選曲する場合に、当該利用者と重複するキーで歌唱可能なデュエット相手を抽出するシステムであって、ログイン利用者管理手段と、利用者別選曲履歴記録手段と、利用者別楽曲対応設定キーデータ取得手段と、デュエット相手抽出手段と、デュエット相手データ出力手段と、を備えたことを特徴とする。
【００１０】
ログイン利用者管理手段は、カラオケ演奏端末にログインしている利用者を、利用者ＩＤに基づき特定して管理するための手段である。利用者別選曲履歴記録手段は、任意の利用者がデュエット曲を歌唱した際に、その演奏時における設定キーデータを選曲履歴データとして利用者ＩＤ別に記録するための手段である。利用者別楽曲対応設定キーデータ取得手段は、選曲者となる任意の利用者がデュエット曲を選曲した際に、現にカラオケ演奏端末にログインしている利用者の選曲履歴データに基づき、当該デュエット曲に関する利用者別の設定キーデータを取得するための手段である。デュエット相手抽出手段は、取得した利用者別の設定キーデータに基づき、当該デュエット曲の選曲者の設定キーデータと重複する設定キーデータを有する他の利用者の利用者ＩＤを抽出するための手段である。デュエット相手データ出力手段は、デュエット相手抽出手段により抽出した利用者ＩＤに対応した利用者データをデュエット相手データとして出力するための手段である。
【００１１】
このような構成からなるデュエット相手抽出システムでは、利用者別選曲履歴記録手段により、任意の利用者について、任意のデュエット曲を選曲した際の設定キーデータを記録しておく。そして、選曲者となる任意の利用者がデュエット曲を選曲すると、利用者別楽曲対応設定キーデータ取得手段により、現にカラオケ演奏端末にログインしている利用者について、当該デュエット曲に関する利用者別の設定キーデータを取得する。続いて、デュエット相手抽出手段により、当該デュエット曲の選曲者の設定キーデータと重複する設定キーデータを有する他の利用者の利用者ＩＤを抽出し、デュエット相手データ出力手段により、抽出した利用者ＩＤに対応する利用者データをデュエット相手データとして出力する。
【００１２】
また、本発明のデュエット相手抽出システムは、上述した構成に加え、デュエット相手出力手段の機能として、選曲者の設定キーデータと重複する設定キーデータを含んだデュエット相手データを出力する機能を付加することが可能である。
【００１３】
このような構成からなるデュエット相手抽出システムでは、デュエット相手として抽出された利用者について、選曲者と重複する設定キーデータがデュエット相手データに含まれて出力される。
【発明の効果】
【００１４】
本発明のデュエット相手抽出システムによれば、任意のデュエット曲について各利用者の設定キーデータを記憶しておき、デュエット曲が選曲された際に、当該デュエット曲の選曲者と重複する設定キーデータを有する利用者を抽出して、デュエット相手データとして出力することができる。
したがって、利用者がデュエット曲を選曲する場合に、簡便かつ確実な方法で、デュエット相手としてふさわしいパートナーを抽出することが可能となる。
【００１５】
また、デュエット相手データを出力する際に、選曲者と重複する設定キーデータを含ませることにより、重複範囲の程度を把握できるので、デュエット相手として最もふさわしいパートナーを容易に指定することが可能となる。すなわち、デュエット相手の選択に際して、設定キーデータの重複範囲を比較して、重複範囲が広い利用者をデュエット相手として選択することにより、選曲者及びデュエット相手の双方が無理なく余裕を持ってデュエット曲を歌唱することが可能となる。
【発明を実施するための最良の形態】
【００１６】
以下、図面を参照して、本発明のデュエット相手抽出システムの実施形態を説明する。
本発明の実施形態に係るデュエット相手抽出システムは、カラオケ演奏に際して、そのキーを所定範囲で変更設定する機能を有し、利用者がデュエット曲を選曲する場合に、当該利用者と重複するキーで歌唱可能なデュエット相手を抽出することが可能なシステムであり、カラオケシステムの構成要素とされている。以下、本発明の実施形態に係るデュエット相手抽出システムを備えたカラオケシステムについて説明する。
【００１７】
＜カラオケシステムの概要＞
図１は通信ネットワークを用いてカラオケシステムを構成した場合の概略ブロック図、図２はカラオケ演奏端末のブロック図である。
本発明の実施形態に係るデュエット相手抽出システムを適用するカラオケシステムは、図１に示すように、通信ネットワーク１２を介して相互に接続されたホスト装置１３と複数のカラオケ演奏端末１１とを備えている。通信ネットワーク１２は、公衆電話回線、専用電話回線、光通信回線、ＬＡＮ等を用いることができるが、ネットワークに対する第三者の侵入やデータの傍聴及び改竄が困難であると共に、帯域を独占せず安価な通信網であるという点で、インターネットにより構成されるＶＰＮを利用することが好ましい。
【００１８】
＜ホスト装置／送受信手段＞
ホスト装置１３は、図１に示すように、制御手段３１、送受信手段３２、データ処理手段３３、顧客データベース３４、利用者別選曲履歴記録手段３５、利用者別楽曲対応設定キーデータ管理データベース３６を備えている。
【００１９】
送受信手段３２は、各カラオケ演奏端末１１との間でデータの送受信を行うための手段であり、通信ネットワーク１２における通信方式の整合性を保つための通信回路やソフトウェアにより構成される。制御手段３１は、ホスト装置１３を統括的に制御するための手段であり、ＣＰＵ及びその周辺機器を含んで構成され、ＣＰＵ等がＲＯＭ等に格納されたアプリケーションプログラムに従って動作することにより制御機能を発揮するようになっている。
【００２０】
＜利用者別選曲履歴記録手段＞
利用者別選曲履歴記録手段３５は、任意の利用者がデュエット曲を歌唱した際に、その演奏時における設定キーデータを選曲履歴データとして利用者ＩＤ別に記録するためのプログラムからなる。この利用者別選曲履歴記録手段３５は、利用者別楽曲対応設定キーデータ管理データベース３６を用いて、利用者別楽曲毎の設定キーデータを記録管理する。
【００２１】
＜利用者別楽曲対応設定キーデータ管理データベース＞
図３及び図４に、利用者別楽曲対応設定キーデータ管理データベース３６の構成例を示す。
利用者別楽曲対応設定キーデータ管理データベース３６の第１の例は、図３に示すように、利用者ＩＤ毎に、歌唱履歴となる楽曲の楽曲ＩＤと、実際に設定されたキーの平均値と、キーの平均値から分析した分析決定キーとを紐付けして構成する。すなわち、第１の例に係る利用者別楽曲対応設定キーデータ管理データベース３６は、実際に設定されたキーの値を平均した設定キー平均値と、この設定キー平均値を四捨五入して求めた分析決定キーとを記録している。なお、実際に設定されたキーの最新値を分析決定キーとしてもよい。
ここで、キーとは音程の高低を表す基準のことであり、キーが上下すると、これに伴い演奏音域も上下する。
【００２２】
利用者別楽曲対応設定キーデータ管理データベース３６の第２の例は、図４に示すように、利用者ＩＤ毎に、歌唱履歴となる楽曲の楽曲ＩＤと、実際に設定されたキーの範囲とを紐付けして構成する。
なお、利用者別楽曲対応設定キーデータ管理データベース３６で管理する楽曲は、利用者が歌唱したすべての楽曲であってもよいし、デュエット曲のみであってもよい。また、利用者別楽曲対応設定キーデータ管理データベース３６を独立して設けるのではなく、顧客データベース３４の構成要素として、利用者別楽曲対応設定キーデータ管理データベース３６の内容を付加してもよい。
【００２３】
＜データ処理手段／顧客データベース＞
データ処理手段３３は、顧客データベース３４にアクセスして、データの抽出、変更、追加を処理するためのプログラムからなる。顧客データベース３４は、利用者毎に利用者情報が登録されたデータベースである。この顧客データベース３４は、利用者毎に、利用者ＩＤ、氏名、セカンドネーム（例えば愛称）、住所、電話番号、生年月日、性別、職業等が関連付けて構成されている。上述したように、この顧客データベース３４における構成データとして、歌唱履歴及び楽曲毎の設定キーデータを含めてもよい。
【００２４】
＜カラオケ演奏端末＞
本発明の実施形態に係るカラオケ演奏端末１１は、図２に示すように、カラオケ本体２１、カラオケリモコン装置２２、ミキシングアンプ２３、スピーカ２４、マイクロホン２５、ディスプレイ装置２６を備えている。カラオケ本体２１とディスプレイ装置２６とは、有線方式又は無線方式により接続されている。
【００２５】
＜カラオケリモコン装置＞
カラオケリモコン装置２２は、ユーザインタフェース機能を備えており、カラオケ本体２１のローカル送受信手段５０に対して有線方式又は無線方式によりデータの送受信を行うようになっており、データの送受信を行うための回路基板及びプログラムと、楽曲検索手段２２ａとして機能させるためのプログラムと、楽曲索引データベース２２ｂと、一時記憶領域であるフラッシュメモリ（図示せず）とを備えている。
【００２６】
＜楽曲索引データベース＞
楽曲検索手段２２ａが参照する楽曲索引データベース２２ｂは、カラオケ演奏端末１１で演奏に供される楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。なお、楽曲索引データベース２２ｂの内容は、カラオケ演奏端末１１がホスト装置１３と通信を行う際に、適宜なタイミングで最新のものに更新される。
【００２７】
＜カラオケ本体＞
カラオケ本体２１は、バス４１、ネットワーク送受信手段４２、中央制御手段４３、ＲＯＭ４４、ＲＡＭ４５、ＨＤＤ４６、利用者別楽曲対応設定キーデータ取得手段４７、デュエット相手抽出手段４８、デュエット相手データ出力手段４９、ローカル送受信手段５０、予約管理手段５１、利用者ＩＤ取得手段５２、ログイン利用者管理手段５３、音楽再生制御手段５４、映像再生制御手段５５を備えている。
【００２８】
＜中央制御手段＞
中央制御手段４３は、カラオケ演奏端末１１を総合的に制御するための手段であり、例えばＣＰＵ及びその周辺機器により構成されており、ＣＰＵ等がＲＯＭ４４等に記憶されたアプリケーションプログラムに従って動作することにより、制御機能を発揮することができるようになっている。
【００２９】
＜ＲＯＭ／ＲＡＭ＞
ＲＯＭ４４は、カラオケ演奏端末１１を構成する各機器を制御するためのアプリケーションプログラムデータや数値データを記憶するための機器で、例えば半導体メモリ等で構成される。また、ＲＡＭ４５は、アプリケーションプログラムや各種データを一時的に記憶する一時記憶領域として機能するもので、例えば半導体メモリ等で構成される。なお、物理的な半導体メモリによりＲＡＭ４５を構成するのではなく、ハードディスク記憶装置等を用いて仮想的なＲＡＭ４５を構成してもよい。本実施形態では、ＲＡＭ４５に、予約待ち行列４５ａ、選曲履歴データ４５ｂ、デュエット相手データ４５ｃが格納されている。選曲履歴データ４５ｂは、ホスト装置１３とデータの送受信を行う際に、利用者別楽曲対応設定キーデータ管理データベース３６から受信し、ＲＡＭ４５に一時的に格納される。また、デュエット相手データ４５ｃは、デュエット相手データ出力手段４９から出力されるデータであり、ＲＡＭ４５に一時的に格納される。
【００３０】
＜ＨＤＤ／楽曲データベース／映像データベース＞
ＨＤＤ４６には、楽曲データベース４６ａ及び映像データベース４６ｂが格納されている。なお、ＨＤＤ４６に替えて、あるいはＨＤＤ４６と共に、データを書き替え可能なＤＶＤ等の大容量記憶装置を用いてもよい。
【００３１】
楽曲データベース４６ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期された楽曲の歌詞文字データである。映像データベース４６ｂは、演奏される楽曲に対応した背景映像を、当該楽曲の楽曲ＩＤに対応させた映像ファイルとして所定数格納したデータベースである。
【００３２】
＜利用者ＩＤ取得手段＞
利用者ＩＤ取得手段５２は、利用者がカラオケ演奏端末１１を利用する際に、利用者が所持するＩＤ媒体６１から利用者ＩＤを取得するための電子回路及びプログラムからなる。利用者ＩＤ取得手段５２で取得した利用者ＩＤは、ＲＡＭ４５に一時的に記憶され、ログイン利用者管理手段５３で管理される。ＩＤ媒体６１は、例えば、非接触型のＩＣカード、携帯電話、携帯情報端末等からなり、利用者ＩＤを記憶して、利用者ＩＤ取得手段５２との間でデータの送受信を行うことができるようになっている。
【００３３】
＜ログイン利用者管理手段＞
ログイン利用者管理手段５３は、現に当該カラオケ演奏端末１１にログインしている利用者を、利用者ＩＤに基づき特定して管理するためのプログラムからなる。すなわち、ログイン利用者管理手段５３では、利用者ＩＤ取得手段５２により利用者ＩＤが取得された場合に、この利用者ＩＤに基づいてカラオケ演奏端末１１にログインしている利用者を特定して管理する。
【００３４】
＜利用者別楽曲対応設定キーデータ取得手段＞
利用者別楽曲対応設定キーデータ取得手段４７は、選曲者となる任意の利用者がデュエット曲を選曲した際に、現にカラオケ演奏端末１１にログインしている利用者の選曲履歴データ４５ｂに基づき、当該デュエット曲に関する利用者別の設定キーデータを取得するためのプログラムからなる。すなわち、カラオケ演奏端末１１は、ネットワーク１２を介してホスト装置１３の利用者別楽曲対応設定キーデータ管理データベース３６から、現にカラオケ演奏端末１１にログインしている利用者の選曲履歴データ４５ｂを取得し、ＲＡＭ４５に一時的に記憶する。そして、利用者別楽曲対応設定キーデータ取得手段４７は、ＲＡＭ４５に一時的に記憶された選曲履歴データ４５ｂを参照することにより、選曲されたデュエット曲に関する利用者別の設定キーデータを取得する。
【００３５】
＜デュエット相手抽出手段＞
デュエット相手抽出手段４８は、取得した利用者別の設定キーデータに基づき、当該デュエット曲の選曲者の設定キーデータと重複する設定キーデータを有する他の利用者の利用者ＩＤを抽出するためのプログラムからなる。該当する利用者が複数存在する場合には、設定キーデータが重複するすべての利用者を抽出してもよいし、設定キーデータが完全に一致する利用者のみを抽出してもよい。ここで、設定キーデータが重複するとは、例えば、選曲者の設定キーデータの範囲が「−１、±０、＋１」である場合に、他の利用者の設定キーデータの範囲が「±０、＋１、＋２」となっていることである。この場合には、「±０、＋１」の部分で設定キーデータの範囲が重複している。また、設定キーデータが完全に一致するとは、例えば、選曲者の設定キーデータの範囲が「−１、±０、＋１」である場合に、他の利用者の設定キーデータの範囲も「−１、±０、＋１」となっていることである。
【００３６】
＜デュエット相手データ出力手段＞
デュエット相手データ出力手段４９は、デュエット相手抽出手段４８により抽出した利用者ＩＤに対応した利用者データを、デュエット相手データ４５ｃとして、カラオケリモコン装置２２の入出力表示部等に出力するためのプログラムからなる。なお、デュエット相手データ出力手段４９により出力されるデュエット相手データ４５ｃは、ＲＡＭ４５に一時的に格納される。
【００３７】
デュエット相手データ出力手段４９により出力され、ＲＡＭ４５に一時的に記憶されたデュエット相手データ４５ｃは、カラオケリモコン装置２２の入出力表示部に表示される。また、デュエット相手データ４５ｃを音声情報としてスピーカ２４から発生するようにしてもよい。
さらに、デュエット相手出力手段４９の機能として、選曲者の設定キーデータと重複する設定キーデータを含んだデュエット相手データ４５ｃを出力する機能を付加してもよい。
【００３８】
＜音楽再生制御手段＞
音楽再生制御手段５４は、楽曲ＩＤに基づいて楽曲データベース４６ａから抽出された演奏データをデジタル再生すると共にアナログ変換してミキシングアンプ２３に出力するための電子回路である。ミキシングアンプ２３は、マイクロホン２５から入力された歌唱者の歌唱音声信号と、音楽再生制御手段５４から送出される演奏音声信号とをミキシングすると共に、アンプ機能により増幅してスピーカ２４より出力させるための装置である。なお、マイクロホン２５の数は１本に限られず、２本以上であってもよい。
【００３９】
＜映像再生制御手段／ディスプレイ装置＞
映像再生制御手段５５は、カラオケ演奏中に、映像データベース４６ｂから抽出した映像データ、及び楽曲データベース４６ａから抽出した楽曲データのうちの歌詞テロップデータ（歌詞文字データ）を当該楽曲の演奏データに同期させてディスプレイ装置２６に出力するための電子回路である。さらに、映像再生制御手段５５は、カラオケリモコン装置２２を介した利用者からの操作指示による予約楽曲リストの表示等をディスプレイ装置２６に表示させる機能も有している。
【００４０】
ディスプレイ装置２６は、カラオケ演奏時の映像、歌詞テロップ等を表示するための装置で、例えば、ＣＲＴディスプレイ、液晶ディスプレイ、プラズマディスプレイ等により構成される。
【００４１】
＜予約管理手段＞
予約管理手段５１は、利用者によりカラオケリモコン装置２２における楽曲検索手段２２ａの機能を用いて選曲され、ローカル送受信手段５０を介して送信された当該選曲者の利用者情報（例えば利用者ＩＤ）及び選曲された楽曲ＩＤを対応付けて予約待ち行列４５ａとしてＲＡＭ４５に格納し、管理するためのプログラムである。なお、楽曲選択の表示や予約待ち行列４５ａの表示は、カラオケリモコン装置２２の入出力用表示部及びディスプレイ装置２６のいずれか一方、あるいは双方で行うことができる。
【００４２】
＜送受信手段＞
ローカル送受信手段５０は、カラオケリモコン装置２２との間でデータの送受信を行うための電子回路及びプログラムからなる。ネットワーク送受信手段４２は、通信ネットワーク１２を介してホスト装置１３との間でデータの送受信を行う際に、通信ネットワーク１２における通信方式の整合性を保つための電子回路及びプログラムからなる。
【００４３】
＜デュエット相手の抽出＞
次に、デュエット相手の抽出について説明する。図５は、デュエット相手の抽出を行う際の制御手順を示す説明図である。また、図６及び図７は、デュエット相手を抽出する際に表示される表示画面の一例を示す模式図であり、図６は選曲画面の模式図、図７はデュエット相手指定画面の模式図である。
【００４４】
本発明の実施形態に係るデュエット相手抽出システムによりデュエット相手を抽出するには、まず、利用者別選曲履歴記録手段３５により、任意の利用者について、任意のデュエット曲を選曲し歌唱した際の設定キーデータを記録しておく。設定キーデータは、利用者別楽曲対応設定キーデータ管理データベース３６により管理される（図３及び図４参照）。
そして、選曲者となる任意の利用者がデュエット相手選曲モードを選択すると共に、当該デュエット曲が演奏される際のキーを入力すると、利用者別楽曲対応設定キーデータ取得手段４７により、現にカラオケ演奏端末１１にログインしている利用者について、当該デュエット曲に関する利用者別の設定キーデータを含む選曲履歴データ４５ｂを取得する。取得した選曲履歴データ４５ｂは、ＲＡＭ４５に一時的に格納される。
【００４５】
具体的には、図６に示す画面において、「デュエット相手のご指定」ボタンをクリックすることにより、デュエット相手の抽出が行われる。ここで、図５に示すように、利用者ａ（利用者ＩＤ／＊＊＊ａ）がデュエット曲である楽曲ＩＤ／＊＊＊１１の曲を選曲し、デュエット相手選択モードを指定すると、デュエット相手抽出手段４８により、当該デュエット曲の選曲者の設定キーデータと重複する設定キーデータを有する他の利用者の利用者ＩＤを抽出する。
【００４６】
図５に示す例では、楽曲ＩＤ／＊＊＊１１の曲について選曲履歴データが存在する利用者は、選曲者である利用者ａ（利用者ＩＤ／＊＊＊ａ）の他に、利用者ｆ（利用者ＩＤ／＊＊＊ｆ）、利用者ｋ（利用者ＩＤ／＊＊＊ｋ）、利用者ｙ（利用者ＩＤ／＊＊＊ｙ）、利用者ｐ（利用者ＩＤ／＊＊＊ｐ）である。ここで、楽曲ＩＤ／＊＊＊１１の曲について、利用者ａ（利用者ＩＤ／＊＊＊ａ）が設定したキーは「＋３」であるため、この設定キー範囲と重複する利用者は、設定キー範囲「＋３」である利用者ｙ（利用者ＩＤ／＊＊＊ｙ）となり、利用者ｙ（利用者ＩＤ／＊＊＊ｙ）がデュエット相手として抽出される。
【００４７】
デュエット相手が抽出されると、デュエット相手データ出力手段４９により、抽出した利用者ｙ（利用者ＩＤ／＊＊＊ｙ）の利用者ＩＤに対応する利用者データを、デュエット相手データ４５ｃとして出力する。なお、抽出されたデュエット相手データ４５ｃは、ＲＡＭ４５に一時的に格納される。デュエット相手データ出力手段４９により出力されたデュエット相手データ４５ｃは、図７に示すように、カラオケリモコン装置２２の入出力画面等に表示される。この際、抽出した利用者ｙ（利用者ＩＤ／＊＊＊ｙ）の表示と共に、重複する設定キーとして「＋３」を表示してもよい。
【００４８】
なお、図７に示す例では、設定キーデータが存在しない利用者ｐ（利用者ＩＤ／＊＊＊ｐ）についてもデュエット相手として表示している。すなわち、設定キーデータが存在しない利用者ｐ（利用者ＩＤ／＊＊＊ｐ）は、どのようなキーでも歌唱可能であると推測して、当該利用者ｐをデュエット相手として表示しているが、設定キーデータが重複する利用者ｙのみをデュエット相手として表示してもよい。
また、利用者ａ（利用者ＩＤ／＊＊＊ａ）が「＋４」のキー設定を行うと、設定キー範囲に「＋４」を含む利用者が抽出される。さらに、利用者ａ（利用者ＩＤ／＊＊＊ａ）が「＋３」及び「＋４」のキーを設定すると、設定キー範囲に「＋３」又は「＋４」を含む利用者が抽出される。
【００４９】
＜他の実施形態＞
本発明のデュエット相手抽出システム及びその周辺装置を構成する機器や手段は上述したものに限定されず、カラオケシステムの利用目的等に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００５０】
さらに、顧客データベース３４、利用者別選曲履歴記録手段３５、利用者別楽曲対応設定キーデータ管理データベース３６をホスト装置１３の構成要素とするのではなく、カラオケ演奏端末１１の構成要素として、ローカルで顧客情報の管理及び選曲履歴の管理を行ってもよい。
【図面の簡単な説明】
【００５１】
【図１】本発明の実施形態に係るデュエット相手抽出システムを適用するカラオケシステムの概略ブロック図。
【図２】本発明の実施形態に係るデュエット相手抽出システムを適用するカラオケ演奏端末のブロック図。
【図３】利用者別楽曲対応設定キーデータ管理データベースの構成例（１）を示す説明図。
【図４】利用者別楽曲対応設定キーデータ管理データベースの構成例（２）を示す説明図。
【図５】デュエット相手の抽出を行う際の制御手順を示す説明図。
【図６】デュエット相手を抽出する際に表示される選曲画面の一例を示す模式図。
【図７】デュエット相手を抽出する際に表示されるデュエット相手指定画面の一例を示す模式図。
【符号の説明】
【００５２】
１１  カラオケ演奏端末
１２  通信ネットワーク
１３  ホスト装置
２１  カラオケ本体
２２  カラオケリモコン装置
２２ａ  楽曲検索手段
２２ｂ  楽曲索引データベース
２３  ミキシングアンプ
２４  スピーカ
２５  マイクロホン
２６  ディスプレイ装置
３１  制御手段
３２  送受信手段
３３  データ処理手段
３４  顧客データベース
３５  利用者別選曲履歴記録手段
３６  利用者別楽曲対応設定キーデータ管理データベース
４１  バス
４２  ネットワーク送受信手段
４３  中央制御手段
４４  ＲＯＭ
４５  ＲＡＭ
４５ａ  予約待ち行列
４５ｂ  選曲履歴データ
４５ｃ  デュエット相手データ
４６  ＨＤＤ
４６ａ  楽曲データベース
４６ｂ  映像データベース
４７  利用者別楽曲対応設定キーデータ取得手段
４８  デュエット相手抽出手段
４９  デュエット相手データ出力手段
５０  ローカル送受信手段
５１  予約管理手段
５２  利用者ＩＤ取得手段
５３  ログイン利用者管理手段
５４  音楽再生制御手段
５５  映像再生制御手段
６１  ＩＤ媒体
【図１】
2010078926.tif 000003
【図２】
2010078926.tif 000004
【図３】
2010078926.tif 000005
【図４】
2010078926.tif 000006
【図５】
2010078926.tif 000007
【図６】
2010078926.tif 000008
【図７】
2010078926.tif 000009